(57)【要約】【課題】商品提案書を作成する際、その作成時に、商品の在庫をリアルタイムで確認して、商品の予約又は発注を行うことが容易にできるようにすること。【解決手段】商品提案書を作成する機能と、商品提案書を修正する機能と、商品提案書に記載の商品の在庫を、ネットワークを介して、サーバに照会する機能と、照会の結果、商品提案書に記載の全ての商品について在庫が有る場合に、商品提案書に記載の商品を、ネットワークを介して、サーバに予約又は発注する機能とをコンピュータに実現することを特徴とするレイアウトソフトウェア。【選択図】なし【特許請求の範囲】
【請求項１】
商品提案書を作成する機能と、
商品提案書を修正する機能と、
商品提案書に記載の商品の在庫を、ネットワークを介して、サーバに照会する機能と、
照会の結果、商品提案書に記載の全ての商品について在庫が有る場合に、商品提案書に記載の商品を、ネットワークを介して、サーバに予約又は発注する機能とをコンピュータに実現することを特徴とするレイアウトソフトウェア。
【請求項２】
レイアウトソフトウェアによりコンピュータで作成された商品提案書に記載の商品の在庫を、ネットワークを介して、前記コンピュータから照会されると、商品提案書に記載の商品の在庫情報を、ネットワークを介して前記コンピュータに返答する機能と、
前記コンピュータで作成された商品提案書に記載の商品を、ネットワークを介して、前記コンピュータから予約又は発注されると、商品提案書に記載の商品の予約又は発注を受ける機能とを有することを特徴とするサーバ。
【請求項３】
レイアウトソフトウェアによりコンピュータに実行させる方法であって、
商品提案書を作成する工程と、
商品提案書に記載の商品の在庫を、ネットワークを介して、サーバに照会する工程と、
照会の結果、商品提案書に記載の全ての商品について在庫が有る場合に、商品提案書に記載の商品を、ネットワークを介して、サーバに予約又は発注する工程と、
照会の結果、商品提案書に記載の何れかの商品について在庫が無い場合に、商品提案書を修正する工程とを含むことを特徴とする商品提案方法。
【請求項４】
サーバが実行する方法であって、
レイアウトソフトウェアによりコンピュータで作成された商品提案書に記載の商品の在庫を、ネットワークを介して、前記コンピュータから照会されると、商品提案書に記載の商品の在庫情報を、ネットワークを介して前記コンピュータに返答する工程と、
前記コンピュータで作成された商品提案書に記載の商品を、ネットワークを介して、前記コンピュータから予約又は発注されると、商品提案書に記載の商品の予約又は発注を受ける工程とを含むことを特徴とする受注方法。
【発明の詳細な説明】
【０００１】
【発明の属する技術分野】
本発明は、顧客に商品を提案する技術に関する。
【０００２】
【従来の技術】
従来から、顧客に商品を提案する場合、その商品の情報が掲載された商品提案書が作成されて、その顧客に提示されることが行われて来た。例えば、家屋を購入する顧客に対して、住宅設備業者が各種の照明器具や家具などを提案するために、プランニングボード（あるいはプランニングシート）と称される商品提案書がコンピュータで作成されて用いられている（特許文献１〜３参照）。
【０００３】
【特許文献１】
特開平０７−２９６０４８号公報
【特許文献２】
特開平０７−２９６０４９号公報
【特許文献３】
特開平０８−１１５３７０号公報
【０００４】
【発明が解決しようとする課題】
ところで、商品提案書に掲載の各商品の在庫確認は、全ての商品について、品番で一つ一つ問い合わせなければならなかった。そのため常には在庫の確認が可能と云う訳ではなく、商品提案書作成時には在庫があったが、商談が成立した頃には、もう在庫が無いと云うような事が起こり得た。
【０００５】
本発明は斯かる状況を鑑みてなされたもので、商品提案書を作成する際、その作成時に、商品の在庫をリアルタイムで確認して、商品の予約又は発注を行うことが容易にできるようにすることを課題とする。
【０００６】
【課題を解決するための手段】
本発明において上記の課題を達成するために、まず請求項１の発明では、商品提案書を作成する機能と、
商品提案書を修正する機能と、
商品提案書に記載の商品の在庫を、ネットワークを介して、サーバに照会する機能と、
照会の結果、商品提案書に記載の全ての商品について在庫が有る場合に、商品提案書に記載の商品を、ネットワークを介して、サーバに予約又は発注する機能とをコンピュータに実現することを特徴とするレイアウトソフトウェアとしたものである。
【０００７】
また請求項２の発明では、レイアウトソフトウェアによりコンピュータで作成された商品提案書に記載の商品の在庫を、ネットワークを介して、前記コンピュータから照会されると、商品提案書に記載の商品の在庫情報を、ネットワークを介して前記コンピュータに返答する機能と、
前記コンピュータで作成された商品提案書に記載の商品を、ネットワークを介して、前記コンピュータから予約又は発注されると、商品提案書に記載の商品の予約又は発注を受ける機能とを有することを特徴とするサーバとしたものである。
【０００８】
また請求項３の発明では、レイアウトソフトウェアによりコンピュータに実行させる方法であって、
商品提案書を作成する工程と、
商品提案書に記載の商品の在庫を、ネットワークを介して、サーバに照会する工程と、
照会の結果、商品提案書に記載の全ての商品について在庫が有る場合に、商品提案書に記載の商品を、ネットワークを介して、サーバに予約又は発注する工程と、
照会の結果、商品提案書に記載の何れかの商品について在庫が無い場合に、商品提案書を修正する工程とを含むことを特徴とする商品提案方法としたものである。
【０００９】
また請求項４の発明では、サーバが実行する方法であって、
レイアウトソフトウェアによりコンピュータで作成された商品提案書に記載の商品の在庫を、ネットワークを介して、前記コンピュータから照会されると、商品提案書に記載の商品の在庫情報を、ネットワークを介して前記コンピュータに返答する工程と、
前記コンピュータで作成された商品提案書に記載の商品を、ネットワークを介して、前記コンピュータから予約又は発注されると、商品提案書に記載の商品の予約又は発注を受ける工程とを含むことを特徴とする受注方法としたものである。
【００１０】
【発明の実施の形態】
以下に、本発明の一実施形態を説明する。
【００１１】
１．構成
本実施形態では、図４に示すように、クライアントと、在庫照会サーバとをネットワークに接続したシステムを設ける。複数のクライアントを、ネットワークに接続しても良い。
【００１２】
ネットワークは、クライアントと、在庫照会サーバとの間でデータ通信が可能であれば、その種類や形態に特に制限は無く、例えば、インターネットや専用回線でも良く、また、途中で光通信や無線通信が行なわれるものであっても良い。
【００１３】
在庫照会サーバは、商品の在庫管理及び受注管理を目的としたコンピュータである。在庫照会サーバは、クライアントから商品の在庫照会があると、この商品の在庫情報をクライアントに返す。また在庫照会サーバは、クライアントから商品の予約又は発注を受け取る。在庫問合せの際、そして予約又は発注の際における商品の識別は、キー番号によってなされる。キー番号は、例えば、品番のように、商品を唯一に特定する情報である。
【００１４】
クライアントは、商品提案書を作成するための本発明のレイアウトソフトウェアがインストールされているパソコンなどのコンピュータである。本発明のレイアウトソフトウェアによりクライアントに表示される商品提案書作成画面にて、商品提案書を表示しながら、この商品提案書が作成される。また、商品提案書作成画面にて、商品提案書を表示しながら、この商品提案書の修正も行われる。
【００１５】
図１に、商品提案書作成画面を例示する。図１では、商品提案書作成画面１にて、商品Ａ〜Ｄの情報を掲載した商品提案書６が作成され、表示されている。
【００１６】
本発明のレイアウトソフトウェアにより作成された商品提案書は、この商品提案書に掲載の各商品のキー番号を保持している。キー番号は、商品の情報として、商品提案書に掲載されていても良いし、掲載されてい無くても良い。
【００１７】
本発明のレイアウトソフトウェアは、商品提案書の保持するキー番号により、商品提案書に掲載の各商品の在庫を、在庫照会サーバに照会する機能を、クライアントに実現する。
【００１８】
例えば、図１に例示する商品提案書作成画面１には、この画面に表示されている商品提案書６に掲載の各商品の在庫を、在庫照会サーバに照会するための在庫ボタン４が表示されている。
【００１９】
クライアントの備えるマウスで、在庫ボタン４をクリックすると、クライアントは、商品提案書に掲載の商品のキー番号を、在庫照会サーバに送ることにより、商品提案書に掲載の商品の在庫を、在庫照会サーバに照会し、在庫照会サーバから、商品提案書に掲載の商品の在庫情報を送って貰い、在庫確認画面に表示する。
【００２０】
図２に、在庫確認画面を例示する。図２は、図１の商品提案書６に掲載の商品Ａ〜Ｄについて、在庫が有ることを示している。
【００２１】
さらに本発明のレイアウトソフトウェアは、在庫照会サーバに対する在庫照会の結果、商品提案書に記載の全ての商品について在庫が有る場合のみ、クライアントにて、商品提案書に記載の全ての商品を、在庫照会サーバに予約又は発注する機能をクライアントに実現する。
【００２２】
例えば、図２に例示する在庫確認画面２には、商品提案書に記載の全ての商品を発注するための発注ボタン５が表示されている。
【００２３】
クライアントの備えるマウスで、発注ボタン４をクリックすると、在庫確認画面２に表示されている全ての商品について在庫が有る場合のみ、クライアントは、商品提案書に記載の商品のキー番号を、在庫照会サーバに送ることにより、商品提案書に記載の商品を、在庫照会サーバに発注する。そして、在庫照会サーバから受注したとの通知があると、クライアントは、発注完了画面に、商品提案書に記載の商品を発注したことを表示する。
【００２４】
図３に、発注完了画面を例示する。図３の発注完了画面では、商品提案書６に掲載の商品Ａ〜Ｄの発注が完了したことを表示している。
【００２５】
２．処理
以下に、本発明のレイアウトソフトウェアによる商品提案の処理手順の例を、図５のフローチャートに従って説明する。
【００２６】
ＳＴＥＰ１；
業者は、顧客から商品提案の依頼を受ける。
【００２７】
ＳＴＥＰ２；
業者は、本発明のレイアウトソフトウェアを用いて、商品提案書を作成する。
【００２８】
ＳＴＥＰ３；
業者は、商品提案書を顧客に提示して、商談をまとめる。
【００２９】
ＳＴＥＰ４；
業者は、本発明のレイアウトソフトウェアを用いて、商品提案書に掲載の商品の在庫を、在庫照会サーバに照会することにより確認する。
商品提案書に掲載の全ての商品について、在庫が有れば、ＳＴＥＰ６に進む。
他方、商品提案書に掲載の何れかの商品について、在庫が無ければ、ＳＴＥＰ５に進む。
【００３０】
ＳＴＥＰ５；
業者は、本発明のレイアウトソフトウェアを用いて、商談の場で商品提案書を、在庫の有る商品の情報のみを掲載するように修正する。
そして、業者は、再度、商品提案書を顧客に提示して、商談をまとめる。
【００３１】
ＳＴＥＰ６；
業者は、本発明のレイアウトソフトウェアを用いて、商品提案書に掲載の商品を、在庫照会サーバに予約又は発注する。
【００３２】
【発明の効果】
請求項１の発明は、コンピュータで、商品提案書で作成し、この商品提案書に記載の商品の在庫が有ることを確認して、この商品提案書に記載の商品を予約又は発注することが可能になるという効果がある。
【００３３】
請求項２及び４の発明は、コンピュータで作成された商品提案書に記載の商品の在庫が有ることを確認させて、この商品提案書に記載の商品を予約又は発注させることが可能になるという効果がある。
【００３４】
請求項３の発明は、コンピュータで、商品提案書で作成し、この商品提案書に記載の商品の在庫を照会し、この商品提案書に記載の全ての商品について在庫がある場合には、この商品提案書に記載の商品を予約又は発注し、他方、この商品提案書に記載の何れかの商品について在庫が無い場合には、商品提案書を修正することが可能になるという効果がある。
【００３５】
以上、本発明は、商品提案書を作成する際、その作成時に、商品の在庫をリアルタイムで確認して、商品の予約又は発注を行うことが容易にできるようになるという効果がある。
【図面の簡単な説明】
【図１】商品提案書作成画面を例示する図。
【図２】在庫確認画面を例示する図。
【図３】発注完了画面を例示する図。
【図４】本実施形態のシステム構成を例示する図。
【図５】本発明のレイアウトソフトウェアによる商品提案の処理手順の例を示すフローチャート。
【符号の説明】
１…商品提案書作成画面
２…在庫確認画面
３…発注完了画面
４…在庫ボタン
５…発注ボタン
６…商品提案書
【図１】
2004362102.tif 000002
【図２】
2004362102.tif 000003
【図３】
2004362102.tif 000004
【図４】
2004362102.tif 000005
【図５】
2004362102.tif 000006